(57)【要約】  本開示の一態様に係るユーザ端末は、下り共有チャネル又は上り共有チャネルに割り当てられる周波数領域リソースを示す所定フィールドを含む下り制御情報を受信する受信部と、キャリア内の初期アクセス用の帯域に関する情報が上位レイヤによって与えられるか否かに基づいて、前記下り共有チャネルの受信又は前記上り共有チャネルの送信を制御する制御部と、を具備する。
2019220624.tif 000002
【特許請求の範囲】
【請求項１】
下り共有チャネル又は上り共有チャネルに割り当てられる周波数領域リソースを示す所定フィールドを含む下り制御情報を受信する受信部と、
キャリア内の初期アクセス用の帯域に関する情報が上位レイヤによって与えられるか否かに基づいて、前記下り共有チャネルの受信又は前記上り共有チャネルの送信を制御する制御部と、
を具備することを特徴とするユーザ端末。
【請求項２】
前記制御部は、前記帯域に関する情報が前記上位レイヤによって与えられる場合、前記帯域に関する情報内の特定の情報によって与えられる帯域幅に基づいて、前記所定フィールドのビット数を決定することを特徴とする請求項１に記載のユーザ端末。
【請求項３】
前記制御部は、前記帯域に関する情報が前記上位レイヤによって与えられない場合、ブロードキャストチャネルを介して伝送されるインデックスによって与えられる帯域幅に基づいて、前記所定フィールドのビット数を決定することを特徴とする請求項１又は請求項２のユーザ端末。
【請求項４】
前記制御部は、前記帯域に関する情報が前記上位レイヤによって与えられる場合、前記帯域に関する情報内の特定の情報によって与えられる帯域幅に基づいて、前記下り共有チャネル又は前記上り共有チャネルのレートマッチングにおけるビット選択を制御することを特徴とする請求項１から請求項３のいずれかに記載のユーザ端末。
【請求項５】
前記制御部は、前記帯域に関する情報が前記上位レイヤによって与えられない場合、ブロードキャストチャネルを介して伝送されるインデックスによって与えられる帯域幅に基づいて、前記下り共有チャネル又は前記上り共有チャネルのレートマッチングにおけるビット選択を制御することを特徴とする請求項１から請求項４のいずれかに記載のユーザ端末。
【請求項６】
下り共有チャネル又は上り共有チャネルに割り当てられる周波数領域リソースを示す所定フィールドを含む下り制御情報を送信する受信部と、
キャリア内の初期アクセス用の帯域に関する情報が上位レイヤによって与えられるか否かに基づいて、前記下り共有チャネルの送信又は前記上り共有チャネルの受信を制御する制御部と、
を具備することを特徴とする無線基地局。
【発明の詳細な説明】
【技術分野】
【０００１】
本開示は、次世代移動通信システムにおけるユーザ端末及び無線基地局に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、無線基地局（例えば、ｅＮＢ：eNodeB）からの下りリンク制御情報（ＤＣＩ：Downlink  Control  Information）（下りリンク（ＤＬ：Downlink）アサインメント等ともいう）に基づいて、下り共有チャネル（例えば、ＰＤＳＣＨ：Physical  Downlink  Shared  Channel）の受信を制御する。【０００５】
また、ユーザ端末は、無線基地局からのＤＣＩ（上りリンク（ＵＬ：Uplink）グラント等ともいう）に基づいて、上り共有チャネル（例えば、ＰＵＳＣＨ：Physical  Uplink  Shared  Channel）の送信を制御する。なお、ＤＣＩは、物理レイヤの制御信号の一つであり、下り制御チャネル（例えば、ＰＤＣＣＨ（Physical  Downlink  Control  Channel））を用いてユーザ端末に送信される。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＮＲ、５Ｇ、５Ｇ＋、Ｒｅｌ．１５以降）では、上記既存のＬＴＥシステムのキャリア（例えば、最大２０ＭＨｚ）よりも広い帯域幅のキャリア（例えば、１００〜４００ＭＨｚ）を用いることが想定される。このため、ユーザ端末に対して、当該キャリア内の部分的な一以上の帯域を設定し、当該一以上の帯域の少なくとも一つを用いて通信を行うことが検討されている。当該キャリア内の部分的な帯域は、例えば、帯域幅部分（ＢＷＰ：Bandwidth  part）等と呼ばれる。【０００８】
また、当該将来の無線通信システムでは、キャリア内に初期アクセス用のＢＷＰ（初期ＢＷＰ等ともいう）を設けることも検討されている。しかしながら、当該将来の無線通信システムでは、初期ＢＷＰの帯域幅として複数の値（例えば、ブロードキャストチャネル（ＰＢＣＨ：Physical  Broadcast  Channel）により伝送されるマスター情報ブロック（ＭＩＢ：Master  Information  Block）に基づく値と、システム情報ブロック（ＳＩＢ：System  Information  Block）１に基づく値）が存在することも想定される。【０００９】
したがって、ユーザ端末は、初期ＢＷＰ内に割り当てられる下り共有チャネル（例えば、ＰＤＳＣＨ：Physical  Downlink  Shared  Channel）又は上り共有チャネル（例えば、ＰＵＳＣＨ：Physical  Uplink  Shared  Channel）の送信を適切に制御できない恐れがある。【００１０】
本発明はかかる点に鑑みてなされたものであり、初期ＢＷＰ内に割り当てられる下り共有チャネル及び上り共有チャネルの少なくとも一つの送信を適切に制御可能なユーザ端末及び無線基地局を提供することを目的の一つとする。
【課題を解決するための手段】
【００１１】
本開示の一態様に係るユーザ端末は、下り共有チャネル又は上り共有チャネルに割り当てられる周波数領域リソースを示す所定フィールドを含む下り制御情報を受信する受信部と、キャリア内の初期アクセス用の帯域に関する情報が上位レイヤによって与えられるか否かに基づいて、前記下り共有チャネルの受信又は前記上り共有チャネルの送信を制御する制御部と、を具備することを特徴とする。
【発明の効果】
【００１２】
本開示の一態様によれば、初期ＢＷＰ内に割り当てられる下り共有チャネル及び上り共有チャネルの少なくとも一つの送信を適切に制御できる。
【図面の簡単な説明】
【００１３】
【図１】図１は、ＭＩＢに基づく初期ＢＷＰの帯域幅の決定の一例を示す図である。
【図２】図２は、ＳＩＢ１に基づく初期ＢＷＰの帯域幅の決定の一例を示す図である。
【図３】図３は、第１の態様に係るＤＬアサインメント内の周波数領域リソース割り当てフィールドのビット数の決定の一例を示す図である。
【図４】図４は、第１の態様に係るＵＬグラント内の周波数領域リソース割り当てフィールドのビット数の決定の一例を示す図である。
【図５】図５は、第２の態様に係るレートマッチングにおけるビット選択の制御の一例を示す図である。
【図６】図６は、本実施の形態に係る無線通信システムの概略構成の一例を示す図である。
【図７】図７は、本実施の形態に係る無線基地局の全体構成の一例を示す図である。
【図８】図８は、本実施の形態に係る無線基地局の機能構成の一例を示す図である。
【図９】図９は、本実施の形態に係るユーザ端末の全体構成の一例を示す図である。
【図１０】図１０は、本実施の形態に係るユーザ端末の機能構成の一例を示す図である。
【図１１】図１１は、本実施の形態に係る無線基地局及びユーザ端末のハードウェア構成の一例を示す図である。
【発明を実施するための形態】
【００１４】
将来の無線通信システム（例えば、ＮＲ、５Ｇ、５Ｇ＋、Ｒｅｌ．１５以降）では、既存のＬＴＥシステム（例えば、Ｒｅｌ．８−１３）のキャリア（例えば、２０ＭＨｚ）よりも広い帯域幅のキャリア（例えば、１００〜４００ＭＨｚ）を用いることが想定される。このため、ユーザ端末に対して、当該キャリア内の部分的な一以上の帯域を設定し、当該一以上の帯域の少なくとも一つを用いて通信を行うことが検討されている。
【００１５】
当該キャリアは、コンポーネントキャリア（ＣＣ：Component  Carrier）、セル、サービングセル、システム帯域幅等とも呼ばれる。また、当該キャリア内の部分的な帯域は、例えば、帯域幅部分（ＢＷＰ：Bandwidth  part）等と呼ばれる。ＢＷＰには、上り用のＢＷＰ（上りＢＷＰ）と、下り用のＢＷＰ（下りＢＷＰ）とが含まれてもよい。
【００１６】
例えば、ユーザ端末に対しては、一以上のＢＷＰ（一以上の上りＢＷＰ及び一以上の下りＢＷＰの少なくとも一つ）が設定され、設定されたＢＷＰの少なくとも一つがアクティブ化されてもよい。アクティブ化されているＢＷＰは、アクティブＢＷＰ等とも呼ばれる。
【００１７】
また、ユーザ端末に対しては、初期アクセス用のＢＷＰ（初期ＢＷＰ（initial  BWP））が設定されてもよい。初期ＢＷＰは、下り用の初期ＢＷＰ（初期下りＢＷＰ（initial  downlink  BWP））及び上り用の初期ＢＷＰ（初期上りＢＷＰ（initial  uplink  BWP））の少なくとも一つが含まれてもよい。
【００１８】
初期アクセスでは、同期信号の検出、ブロードキャスト情報（例えば、マスター情報ブロック（ＭＩＢ：Master  Information  Block））の取得、ランダムアクセスによる接続の確立の少なくとも一つが行われてもよい。
【００１９】
初期ＢＷＰの帯域幅は、ブロードキャストチャネル（ＰＢＣＨ：Physical  Broadcast  Channel、Ｐ−ＢＣＨ等ともいう）を介して送信されるＭＩＢ内のインデックス（pdcch-ConfigSIB1、RMSI-PDCCH-Config等ともいう）に基づいて設定されてもよい。
【００２０】
図１は、ＭＩＢに基づく初期ＢＷＰの帯域幅の決定の一例を示す図である。図１に示すように、ＭＩＢには、所定ビット数（例えば、８ビット）のpdcch-ConfigSIB1が含まれてもよい。ユーザ端末は、pdcch-ConfigSIB1の少なくとも一つのビット値に基づいて、初期ＢＷＰの帯域幅を決定する。
【００２１】
例えば、図１では、ユーザ端末は、pdcch-ConfigSIB1の最上位４ビット（ＭＳＢ：Most  Significant  bit）が示すインデックスに関連付けられるリソースブロック（ＲＢ：Resource  Block）の数（ＮＣＯＲＥＳＥＴＲＢ）を、初期ＢＷＰの帯域幅として決定してもよい。図１では、初期ＢＷＰの帯域幅（ＲＢ数）は、２４、４８又は９６のいずれかに決定される。
【００２２】
なお、図１においてインデックスに関連付けられる値は一例にすぎず、図示するものに限られない。例えば、各値は、最小チャネル帯域幅（minimum  channel  bandwidth）、サブキャリア間隔（subcarrier  spacing）の少なくとも一つに基づいて変更されてもよい。
【００２３】
また、当該初期ＢＷＰの帯域幅は、所定の制御リソースセット（ＣＯＲＥＳＥＴ：Control  Resource  set）を構成するＲＢ数と言い換えられてもよい。ここで、ＣＯＲＥＳＥＴとは、下り制御チャネル（例えば、ＰＤＣＣＨ（Physical  Downlink  Control  Channel））の割当て候補領域である。ＣＯＲＥＳＥＴには、一以上のサーチスペースが設定され、当該サーチスペースにおいてユーザ端末によるＤＣＩの監視（ブラインド復号）が行われてもよい。
【００２４】
当該サーチスペースには、一以上のユーザ端末に共通の（セル固有の）ＤＣＩの監視に用いられるサーチスペース（共通サーチスペース（ＣＳＳ：Common  Search  Space））と、ユーザ端末固有のＤＣＩの監視に用いられるサーチスペース（ユーザ固有サーチスペース（ＵＳＳ：User-specific  Search  Space））とが含まれてもよい。
【００２５】
ＣＳＳには、所定の識別子（例えば、ＳＩ−ＲＮＴＩ：System  Information−Radio  Network  Temporary  Identifier）でスクランブルされる巡回冗長検査（ＣＲＣ：Cyclic  Redundancy  Check）ビットを有する（ＣＲＣスクランブルされる）ＤＣＩ用のサーチスペースが含まれてもよい。当該サーチスペースは、タイプ０−ＰＤＣＣＨ  ＣＳＳ、ＳＩＢ１用のサーチスペース、ＲＭＳＩ（Remaining  Minimum  System  Informatio）用のサーチスペース等とも呼ばれる。
【００２６】
pdcch-ConfigSIB1に基づいてＲＢ数が決定される上記所定のＣＯＲＥＳＥＴは、タイプ０−ＰＤＣＣＨ  ＣＳＳが設けられるＣＯＲＥＳＥＴであってもよい。この場合、「初期ＢＷＰの帯域幅」は、タイプ０−ＰＤＣＣＨ  ＣＳＳが設けられるＣＯＲＥＳＥＴのＲＢ数と言い換えられてもよい。
【００２７】
以上のように、pdcch-ConfigSIB1に基づいて決定される初期ＢＷＰの帯域幅は、２４、４８、９０の３つの帯域幅に限定される恐れがある。ユーザ端末の能力（UE  capability）によっては、ユーザ端末は、１ＢＷＰのみをサポートすることも想定されることから、初期ＢＷＰの帯域幅が当該３つの帯域幅に限定されることは望ましくない。
【００２８】
そこで、ＳＩＢ１に基づいて、初期ＢＷＰの帯域幅を指定することも検討されている。なお、ユーザ端末は、ＭＩＢ内のpdcch-ConfigSIB1に基づいて決定されるＣＯＲＥＳＥＴ内のタイプ０−ＰＤＣＣＨ  ＣＳＳを関してＤＣＩを検出し、当該ＤＣＩによりスケジューリングされるＰＤＳＣＨを用いて、ＳＩＢ１を受信する。
【００２９】
図２は、ＳＩＢ１に基づく初期ＢＷＰの帯域幅の決定の一例を示す図である。図２に示すように、ＳＩＢ１には、初期ＢＷＰの帯域幅及び周波数領域の位置（frequency  domain  location）の少なくとも一つの決定に用いられる情報（帯域幅／位置情報、特定の情報等ともいう、例えば、locationAndBandwidth）が含まれてもよい。locationAndBandwidthは、所定ビット数（例えば、１５ビット）で構成されてもよい。
【００３０】
ユーザ端末は、locationAndBandwidthの少なくとも一つのビットに基づいて、初期ＢＷＰの帯域幅（ＲＢ数）を決定してもよい。例えば、ユーザ端末は、所定のインデックスとＲＢ数とを少なくとも関連付けるテーブルにおいて、locationAndBandwidthの少なくとも一つのビットが示すインデックスに関連付けられるＲＢ数を、初期ＢＷＰの帯域幅として決定してもよい。
【００３１】
また、ユーザ端末は、locationAndBandwidthの少なくとも一つのビットに基づいて、初期ＢＷＰの周波数領域の位置を決定してもよい。当該周波数領域の位置は、キャリア内の基準となるリソースブロック（参照リソースブロック（reference  resource  block）、共通ＲＢ０等ともいう）の最低のサブキャリア（lowest  subcarrier）（ポイントＡ）からの距離（ＲＢ数）で示されてもよい。ユーザ端末は、locationAndBandwidthの少なくとも一つのビットによって指定される上記距離に基づいて、上記初期ＢＷＰの周波数領域の位置を決定してもよい。
【００３２】
図２に示すように、ＳＩＢ１には、セル固有のパラメータの設定情報（例えば、ServingCellConfigCommon）が含まれてもよい。ServingCellConfigCommonには、初期下りＢＷＰに関する情報（例えば、initialDownlinkBWP）が含まれてもよい。initialDownlinkBWP用には、セル固有の共通パラメータ（BWP-DownlinkCommon）が提供（provide）されてもよい。BWP-DownlinkCommonには、上述のlocationAndBandwidth等が含まれてもよい。
【００３３】
ユーザ端末は、initialDownlinkBWP用に提供されるBWP-DownlinkCommon内のlocationAndBandwidthに基づいて、初期下りＢＷＰの帯域幅及び周波数領域の位置の少なくとも一つを決定してもよい。
【００３４】
また、ServingCellConfigCommonには、上りの共通の設定情報（例えば、UplinkConfigCommon）が含まれてもよい。UplinkConfigCommonには、初期上りＢＷＰに関する情報（例えば、initialUplinkBWP）が含まれてもよい。initialUplinkBWP用には、セル固有の共通パラメータ（例えば、BWP-UplinkCommon）が提供（provide）されてもよい。BWP-UplinkCommonには、上述のlocationAndBandwidth等が含まれてもよい。
【００３５】
ユーザ端末は、initialUplinkBWP用に提供されるBWP-UplinkCommon内のlocationAndBandwidthに基づいて、初期下りＢＷＰの帯域幅及び周波数領域の位置の少なくとも一つを決定してもよい。
【００３６】
なお、図２に示すパラメータの階層構造は一例にすぎず、図示するものに限られない。例えば、図２では、初期下りＢＷＰに関する情報（例えば、initialDownlinkBWP用に与えられるBWP-DownlinkCommon）は、ServingCellConfigCommonに含まれるが、ＳＩＢ１内のどのような階層のどのような情報項目（ＩＥ：Information  Element）に含まれてもよい。また、初期下りＢＷＰの帯域幅／位置情報（例えば、locationAndBandwidth）は、initialDownlinkBWP用に与えられるBWP-DownlinkCommonに含まれるが、どのような階層のどのようなＩＥに含まれてもよい。
【００３７】
また、初期上りＢＷＰに関する情報（例えば、initialUplinkBWP用に与えられるBWP-UplinkCommon）は、ServingCellConfigCommon内のUplinkConfigCommonに含まれるが、ＳＩＢ１内のどのような階層のどのようなＩＥに含まれてもよい。また、初期上りＢＷＰの帯域幅／位置情報（例えば、locationAndBandwidth）は、initialUplinkBWP用に与えられるBWP-UplinkCommonに含まれるが、どのような階層のどのようなＩＥに含まれてもよい。
【００３８】
以上のＳＩＢ１内の帯域幅／位置情報（例えば、locationAndBandwidth）に基づいて決定される初期下りＢＷＰ及び初期上りＢＷＰの少なくとも一つ（初期下りＢＷＰ／初期上りＢＷＰ）の帯域幅は、ＭＩＢ内のpdcch-ConfigSIB1に基づいて決定される帯域幅（例えば、２４、４８、９６ＲＢ）よりも広い帯域幅であってもよい。
【００３９】
また、ユーザ端末は、初期下りＢＷＰ／初期上りＢＷＰの帯域幅／位置情報（例えば、locationAndBandwidth）を含むＳＩＢ１を受信する場合、当該帯域幅／位置情報に基づいて決定される帯域幅を初期下りＢＷＰ／初期上りＢＷＰに適用してもよい。一方、ユーザ端末は、初期下りＢＷＰ／初期上りＢＷＰの帯域幅／位置情報（例えば、locationAndBandwidth）を含むＳＩＢ１を受信しない場合、ＭＩＢ内のpdcch-ConfigSIB1に基づいて決定される帯域幅を初期下りＢＷＰ／初期上りＢＷＰに適用してもよい。
【００４０】
このように、ＳＩＢ１内に初期ＢＷＰに関する情報（例えば、initialDownlinkBWP用のBWP-DownlinkCommon及びinitialUplinkBWP用のBWP-UplinkCommonの少なくとも一つ）が含まれる場合、初期ＢＷＰ（初期下りＢＷＰ／初期上りＢＷＰ）の帯域幅として、ＭＩＢ内のpdcch-ConfigSIB1に基づく値と、ＳＩＢ１内の帯域幅／位置情報に基づく値との双方が存在し得る。
【００４１】
この場合、ユーザ端末が、初期下りＢＷＰ／初期上りＢＷＰ内におけるＰＤＳＣＨの受信及びＰＵＳＣＨの送信を適切に制御できない恐れがある。なお、同様の問題は、初期ＢＷＰに関する情報が、例えば、上記ＳＩＢ１内に含まれる場合だけでなく、無線リソース制御（ＲＲＣ：Radio  Resource  Control）メッセージに含まれる場合等にも生じ得る。
【００４２】
例えば、上記将来の無線通信システムでは、ＤＣＩ（ＤＬアサインメント）内の所定フィールド（例えば、Frequency  domain  resource  assignment）により、初期下りＢＷＰ内でＰＤＳＣＨに割り当てられる周波数領域リソース（Frequency  domain  resource）を指定することが想定される。当該所定フィールドのビット数は、初期下りＢＷＰの帯域幅に基づいて決定されることが想定される。
【００４３】
同様に、上記将来の無線通信システムでは、ＤＣＩ（ＵＬグラント）内の所定フィールド（例えば、Frequency  domain  resource  assignment）により、初期上りＢＷＰ内でＰＵＳＣＨに割り当てられる周波数領域リソースを指定することが想定される。当該所定フィールドのビット数は、初期上りＢＷＰの帯域幅に基づいて決定されることが想定される。
【００４４】
しかしながら、上述のように、初期下りＢＷＰ／初期上りＢＷＰの帯域幅として複数の値（例えば、ＭＩＢ内のpdcch-ConfigSIB1に基づく値と、ＳＩＢ１内の帯域幅／位置情報に基づく値）が想定される場合、上記ＤＣＩ内の所定フィールドのビット数を適切に決定できない恐れがある。
【００４５】
また、上記将来の無線通信システムでは、レートマッチング（rate  matching）（例えば、低密度パリティ検査符号（ＬＤＣＰ：low-density  parity-check  code）用のレートマッチング）におけるビット選択（bit  selection）にも、初期下りＢＷＰ／初期上りＢＷの帯域幅を用いることが想定される。このため、初期下りＢＷＰ／初期上りＢＷＰの帯域幅として上記複数の値が想定される場合、当該レートマッチングにおけるビット選択を適切に制御できない恐れがある。
【００４６】
このように、初期下りＢＷＰ／初期上りＢＷＰの帯域幅として一以上の値が想定される場合、ユーザ端末が、初期下りＢＷＰ内に割り当てられるＰＤＳＣＨ又は初期上りＢＷＰ内に割り当てられるＰＵＳＣＨの送信を適切に制御できない恐れがある。
【００４７】
そこで、本発明者らは、初期ＢＷＰに関する情報（例えば、initialDownlinkBWP用のBWP-DownlinkCommon及びinitialUplinkBWP用のBWP-UplinkCommonの少なくとも一つ）が上位レイヤによって与えられるか否かに基づいて、初期下りＢＷＰ／初期上りＢＷＰ内におけるＰＤＳＣＨの受信及びＰＵＳＣＨの送信を適切に制御することを着想した。
【００４８】
以下、本実施の形態について、図面を参照して詳細に説明する。
【００４９】
本実施の形態において、「初期ＢＷＰに関する情報が上位レイヤによって与えられるか否か」は、「初期ＢＷＰに関する情報がＳＩＢ１及びＲＲＣメッセージの少なくとも一つに含まれるか否か」と言い換えられてもよい。当該ＲＲＣメッセージは、ハンドオーバ手順、デュアルコネクティビティ（ＤＣ：Dual  Connectivity）におけるプライマリセカンダリセル（ＰＳＣｅｌｌ：Primary  Secondary  Cell）の追加手順、及び、ＤＣ又はキャリアアグリゲーション（ＣＡ：Carrier  Aggregation）におけるセカンダリセル（ＳＣｅｌｌ：Secondary  Cell）の追加手順の少なくとも一つで送信されてもよい。
【００５０】
当該ＲＲＣメッセージがハンドオーバ手順で送信される場合、当該初期ＢＷＰに関する情報は、ハンドオーバ先のセル（ターゲットセル）における初期ＢＷＰに関する情報であってもよい。また、当該ＲＲＣメッセージがＰＳＣｅｌｌ又はＳＣｅｌｌの追加手順で送信される場合、当該初期ＢＷＰに関する除法は、追加されるＰＳＣｅｌｌ又はＳＣｅｌｌにおける初期ＢＷＰに関する情報であってもよい。
【００５１】
以下では、「初期ＢＷＰに関する情報」は、initialDownlinkBWP用のBWP-DownlinkCommon及びinitialUplinkBWP用のBWP-UplinkCommonの少なくとも一つであるものとするが、これに限られない。「初期ＢＷＰに関する情報」は、初期下りＢＷＰの帯域幅／位置情報、及び、初期上りＢＷＰの帯域幅／位置情報の少なくとも一つを含む情報であれば、どのような情報であってもよい。
【００５２】
（第１の態様）
第１の態様では、ユーザ端末は、初期ＢＷＰ（初期アクセス用の帯域）に関する情報（例えば、initialDownlinkBWP用のBWP-DownlinkCommon又はinitialUplinkBWP用のBWP-UplinkCommon）が上位レイヤによって与えられるか否かに基づいて、ＤＣＩ内のＰＤＳＣＨ又はＰＵＳＣＨに割り当てられる周波数領域リソースを示す所定フィールドのビット数を決定してもよい。
【００５３】
以下では、当該所定フィールドについて、周波数領域リソース割り当てフィールド（Frequency  domain  resource  assignment）と呼ぶが、当該所定フィールドの名称は、これに限られない。また、第１の態様は、単独で用いられてもよいし、他の態様と組み合わせられてもよい。また、第１の態様の制御は、ユーザ端末（例えば、ＵＥ）だけでなく、無線基地局（例えば、ｅＮＢ、ｇＮＢ：gNodeB、ＴＲＰ：Transmission  Reception  Point）で行われてもよい。
【００５４】
第１の態様において、ユーザ端末は、上記初期ＢＷＰに関する情報が前記上位レイヤによって与えられる場合、上記初期ＢＷＰに関する情報内の特定の情報（例えば、locationAndBandwidth）によって与えられる帯域幅に基づいて、ＤＣＩ内の周波数領域リソース割り当てフィールドのビット数を決定してもよい。
【００５５】
一方、ユーザ端末は、上記初期ＢＷＰに関する情報が前記上位レイヤによって与えられる場合、ＰＢＣＨを介したインデックス（例えば、pdcch-ConfigSIB1）によって与えられる帯域幅に基づいて、ＤＣＩ内の周波数領域リソース割り当てフィールドのビット数を決定してもよい。
【００５６】
ここで、周波数領域リソース割り当てフィールドを含むＤＣＩは、ＰＤＳＣＨのスケジューリングに用いられるＤＣＩ（ＤＬアサインメント）であってもよいし、又は、ＰＵＳＣＨのスケジューリングに用いられるＤＣＩ（ＵＬグラント）であってもよい。
【００５７】
＜ＤＬアサインメント内の周波数領域リソース割り当てフィールドのビット数の制御＞
図３は、第１の態様に係るＤＬアサインメント内の周波数領域リソース割り当てフィールドのビット数の決定の一例を示す図である。ＤＬアサインメントは、ＤＣＩフォーマット１＿０及びＤＣＩフォーマット１＿１の少なくとも一つを含んでもよい。図３では、ＤＬアサインメントの一例として、ＤＣＩフォーマット１＿０を示すが、ＰＤＳＣＨのスケジューリングに用いられるどのようなＤＣＩであってもよい。
【００５８】
また、図３のＤＣＩフォーマット１＿０は、所定の識別子によりＣＲＣスクランブルされてもよい。当該所定の識別子は、例えば、Ｃ−ＲＮＴＩ（Cell―Radio  Network  Temporary  Identifier）、Ｐ−ＲＮＴＩ（paging-RNTI）、ＳＩ−ＲＮＴＩ（System  Information-RNTI）、ＲＡ−ＲＮＴＩ（Random  Access−RNTI）及びＴＣ−ＲＮＴＩ（Temporary  Cell−RNTI）の少なくとも一つであればよい。
【００５９】
図３に示すように、初期下りＢＷＰの帯域幅ＮＤＬ，ＢＷＰＲＢ内でＰＤＳＣＨに割り当てられる周波数リソースは、ＤＣＩフォーマット１＿０の周波数領域リソース割り当てフィールドによって指定される。
【００６０】
なお、図３におけるＰＤＳＣＨに対する周波数リソースの割り当ては例示にすぎず、ＰＤＳＣＨには不連続の周波数リソースが割り当てられてもよい。また、当該周波数リソースの割り当て単位は、ＲＢであってもよいし、一以上のＲＢを含むリソースブロックグループ（ＲＢ）であってもよい。
【００６１】
図３に示すように、当該周波数領域リソース割り当てフィールドのビット数は、初期下りＢＷＰの帯域幅ＮＤＬ，ＢＷＰＲＢに基づいて決定されてもよい。例えば、図３では、当該ビット数は、下記式（１）に基づいて決定される。
【数１】
2019220624.tif 000003
【００６２】
ここで、initialDownlinkBWP用のBWP-DownlinkCommon（初期アクセス用の帯域に関する情報）が上位レイヤによって与えられる場合、式（１）におけるＮＤＬ，ＢＷＰＲＢは、上記BWP-DownlinkCommonのlocationAndBandwidth（特定の情報）によって与えられる帯域幅であってもよい。なお、locationAndBandwidthを構成する少なくとも一つのビットに基づく帯域幅の決定は、上記の通りである。
【００６３】
一方、initialDownlinkBWP用のBWP-DownlinkCommonが上位レイヤによって与えられない場合、式（１）におけるＮＤＬ，ＢＷＰＲＢは、ＰＢＣＨを介して伝送されるＭＩＢ内のpdcch-ConfigSIB1（インデックス）によって与えられる帯域幅であってもよい。なお、pdcch-ConfigSIB1を構成する少なくとも一つのビットに基づく帯域幅の決定は、上記の通りである。
【００６４】
このように、ユーザ端末は、initialDownlinkBWP用のBWP-DownlinkCommonが上位レイヤによって与えられる場合、当該BWP-DownlinkCommonのlocationAndBandwidthによって与えられる帯域幅に基づいて、ＤＬアサインメント内の周波数領域リソース割り当てフィールドのビット数を決定してもよい。
【００６５】
また、ユーザ端末は、initialDownlinkBWP用のBWP-DownlinkCommonが上位レイヤによって与えられない場合、ＰＢＣＨを介したpdcch-ConfigSIB1によって与えられる帯域幅に基づいて、ＤＬアサインメント内の周波数領域リソース割り当てフィールドのビット数を決定してもよい。
【００６６】
なお、「上位レイヤによってinitialDownlinkBWP用のBWP-DownlinkCommonが与えられる」とは、ＳＩＢ１及びＲＲＣメッセージの少なくとも一つがinitialDownlinkBWP用のBWP-DownlinkCommonを含む場合と言い換えられてもよい。ＳＩＢ１内におけるBWP-DownlinkCommonの階層構造は、例えば、図２に例示されるが、これに限られない。また、ＲＲＣメッセージは、ハンドオーバ手順、ＰＳＣｅｌｌの追加手順、及び、ＳＣｅｌｌの追加手順の少なくとも一つで送信されるＲＲＣメッセージ（例えば、ＲＲＣ再構成メッセージ（RRCReconfiguration  message））であればよい。
【００６７】
また、上記式（１）は例示にすぎず、周波数領域リソース割り当てフィールドのビット数は、上記式（１）以外を用いて決定されてもよい。例えば、Ｐ−ＲＮＴＩでＣＲＣスクランブルされるＤＣＩフォーマット１＿０がショートメッセージを伝送する場合、下記式（２）に基づいて、周波数領域リソース割り当てフィールドのビット数を決定してもよい。
【数２】
2019220624.tif 000004
【００６８】
＜ＵＬグラント内の周波数領域リソース割り当てフィールドのビット数の制御＞
図４は、第１の態様に係るＵＬグラント内の周波数領域リソース割り当てフィールドのビット数の決定の一例を示す図である。ＵＬグラントは、ＤＣＩフォーマット０＿０及びＤＣＩフォーマット０＿１の少なくとも一つを含んでもよい。図４では、ＵＬグラントの一例として、ＤＣＩフォーマット０＿０を示すが、ＰＵＳＣＨのスケジューリングに用いられるどのようなＤＣＩであってもよい。
【００６９】
また、図４のＤＣＩフォーマット０＿０は、所定の識別子によりＣＲＣスクランブルされてもよい。当該所定の識別子は、例えば、Ｃ−ＲＮＴＩ及びＴＣ−ＲＮＴＩの少なくとも一つであってもよい。
【００７０】
図４に示すように、初期上りＢＷＰの帯域幅ＮＵＬ，ＢＷＰＲＢ内でＰＵＳＣＨに割り当てられる周波数リソースは、ＤＣＩフォーマット０＿０の周波数領域リソース割り当てフィールドによって指定される。
【００７１】
なお、図４におけるＰＵＳＣＨに対する周波数リソースの割り当ては例示にすぎず、ＰＵＳＣＨには不連続の周波数リソースが割り当てられてもよい。また、当該周波数リソースの割り当て単位は、ＲＢであってもよいし、一以上のＲＢを含むリソースブロックグループ（ＲＢ）であってもよい。
【００７２】
図４に示すように、当該周波数領域リソース割り当てフィールドのビット数は、初期上りＢＷＰの帯域幅ＮＵＬ，ＢＷＰＲＢに基づいて決定されてもよい。例えば、図３では、当該ビット数は、下記式（３）に基づいて決定される。
【数３】
2019220624.tif 000005
【００７３】
ここで、initialUplinkBWP用のBWP-UplinkCommon（初期アクセス用の帯域に関する情報）が上位レイヤによって与えられる場合、式（３）におけるＮＵＬ，ＢＷＰＲＢは、上記BWP-UplinkCommonのlocationAndBandwidth（特定の情報）によって与えられる帯域幅であってもよい。なお、locationAndBandwidthを構成する少なくとも一つのビットに基づく帯域幅の決定は、上記の通りである。
【００７４】
一方、initialUplinkBWP用のBWP-UplinkCommonが上位レイヤによって与えられない場合、式（３）におけるＮＵＬ，ＢＷＰＲＢは、ＰＢＣＨを介して伝送されるＭＩＢ内のpdcch-ConfigSIB1（インデックス）によって与えられる帯域幅であってもよい。なお、pdcch-ConfigSIB1を構成する少なくとも一つのビットに基づく帯域幅の決定は、上記の通りである。
【００７５】
このように、ユーザ端末は、initialUplinkBWP用のBWP-UplinkCommonが上位レイヤによって与えられる場合、BWP-UplinkCommonのlocationAndBandwidthによって与えられる帯域幅に基づいて、ＵＬグラント内の周波数領域リソース割り当てフィールドのビット数を決定してもよい。
【００７６】
また、ユーザ端末は、initialUplinkBWP用のBWP-UplinkCommonが上位レイヤによって与えられない場合、ＰＢＣＨを介したpdcch-ConfigSIB1によって与えられる帯域幅に基づいて、ＵＬグラント内の周波数領域リソース割り当てフィールドのビット数を決定してもよい。
【００７７】
なお、「上位レイヤによってinitialUplinkBWP用のBWP-UplinkCommonが与えられる」とは、ＳＩＢ１及びＲＲＣメッセージの少なくとも一つがinitialUplinkBWP用のBWP-UplinkCommonを含む場合と言い換えられてもよい。ＳＩＢ１内におけるBWP-UplinkCommonの階層構造は、例えば、図２に例示されるが、これに限られない。また、ＲＲＣメッセージは、ハンドオーバ手順、ＰＳＣｅｌｌの追加手順、及び、ＳＣｅｌｌの追加手順の少なくとも一つで送信されるＲＲＣメッセージ（例えば、ＲＲＣ再構成メッセージ）であればよい。
【００７８】
また、上記式（３）は例示にすぎず、周波数領域リソース割り当てフィールドのビット数は、上記式（３）以外を用いて決定されてもよい。
【００７９】
以上のように、第１の態様では、初期ＢＷＰに関する情報（例えば、initialDownlinkBWP用のBWP-DownlinkCommon又はinitialUplinkBWP用のBWP-UplinkCommon）が上位レイヤによって与えられるか否かに基づいて、ＤＣＩ内の周波数領域リソース割り当てフィールドのビット数が決定されるので、ユーザ端末は、当該ＤＣＩにより初期ＢＷＰにより割り当てられるＰＤＳＣＨの受信又はＰＵＳＣＨの送信を適切に制御できる。
【００８０】
（第２の態様）
第２の態様では、ユーザ端末は、初期ＢＷＰ（初期アクセス用の帯域）に関する情報（例えば、initialDownlinkBWP用のBWP-DownlinkCommon又はinitialUplinkBWP用のBWP-UplinkCommon）が上位レイヤによって与えられるか否かに基づいて、ＰＤＳＣＨ又はＰＵＳＣＨのレートマッチングにおけるビット選択を制御してもよい。第２の態様では、第１の態様との相違点を中心に説明する。また、第２の態様は、単独で用いられてもよいし、他の態様と組み合わせられてもよい。また、第２の態様の制御は、無線基地局で行われてもよい。
【００８１】
第２の態様において、ユーザ端末は、上記初期ＢＷＰに関する情報が前記上位レイヤによって与えられる場合、上記初期ＢＷＰに関する情報内の特定の情報（例えば、locationAndBandwidth）によって与えられる帯域幅に基づいて、ＰＤＳＣＨ又はＰＵＳＣＨのレートマッチングにおけるビット選択を制御してもよい。
【００８２】
一方、ユーザ端末は、上記初期ＢＷＰに関する情報が前記上位レイヤによって与えられる場合、ＰＢＣＨを介したインデックス（例えば、pdcch-ConfigSIB1）によって与えられる帯域幅に基づいて、ＰＤＳＣＨ又はＰＵＳＣＨのレートマッチングにおけるビット選択を制御してもよい。
【００８３】
ここで、レートマッチングにおけるビット選択とは、符号化後のビット系列が格納される所定長のサーキュラバッファ（circular  buffer）から、送信用に割り当てられたリソース（例えば、ＰＤＳＣＨ又はＰＵＳＣＨに割り当てられる一以上のＲＢの中で利用可能なリソースエレメント（ＲＥ：Resource  Element）の数）に合致した所定数のビット（例えば、連続するビット）を選択することであってもよい。
【００８４】
なお、上記レートマッチングは、例えば、ＬＤＣＰ用のレートマッチングであってもよい。
【００８５】
図５は、第２の態様に係るレートマッチングにおけるビット選択の制御の一例を示す図である。なお、図５に例示されるレートマッチングにおけるビット選択は、初期ＢＷＰに割り当てられるＰＤＳＣＨ及びＰＵＳＣＨのいずれで送信されるデータ（トランスポートブロック、符号ブロック等ともいう）のレートマッチングにも適用されてもよい。
【００８６】
図５に示すように、符号化後のビット数Ｎのビット系列（例えば、ＬＤＣＰの符号器からの出力ビット）ｄ０，ｄ１，…，ｄＮ−１は、所定長のサーキュラバッファに書き込まれる。サーキュラバッファから取り出されるビット数Ｅは、初期ＢＷＰの帯域幅に基づいて決定されてもよい。
【００８７】
＜ＤＬ−ＳＣＨのレートマッチングのビット選択＞
ＰＤＳＣＨにマッピングされるトランスポートチャネルであるＤＬ−ＳＣＨ（Downlink  shared  channel）のレートマッチングにおけるビット選択について詳細に説明する。
【００８８】
ＤＬ−ＳＣＨのレートマッチングにおけるビット選択では、initialDownlinkBWP用のBWP-DownlinkCommon（初期アクセス用の帯域に関する情報）が上位レイヤによって与えられる場合、図５のサーキュラバッファから取り出されるビット数Ｅは、上記BWP-DownlinkCommonのlocationAndBandwidth（特定の情報）によって与えられる帯域幅に基づいて決定されてもよい。
【００８９】
一方、initialDownlinkBWP用のBWP-DownlinkCommonが上位レイヤによって与えられない場合、図５のサーキュラバッファから取り出されるビット数Ｅは、ＰＢＣＨを介して伝送されるＭＩＢ内のpdcch-ConfigSIB1（インデックス）によって与えられる帯域幅に基づいて決定されてもよい。
【００９０】
＜ＵＬ−ＳＣＨのレートマッチングのビット選択＞
ＰＵＳＣＨにマッピングされるトランスポートチャネルであるＵＬ−ＳＣＨ（Uplink  shared  channel）のレートマッチングにおけるビット選択について詳細に説明する。
【００９１】
ＵＬ−ＳＣＨのレートマッチングにおけるビット選択では、initialUplinkBWP用のBWP-UplinkCommon（初期アクセス用の帯域に関する情報）が上位レイヤによって与えられる場合、図５のサーキュラバッファから取り出されるビット数Ｅは、上記BWP-UplinkCommonのlocationAndBandwidth（特定の情報）によって与えられる帯域幅に基づいて決定されてもよい。
【００９２】
一方、initialUplinkBWP用のBWP-UplinkCommonが上位レイヤによって与えられない場合、図５のサーキュラバッファから取り出されるビット数Ｅは、ＰＢＣＨを介して伝送されるＭＩＢ内のpdcch-ConfigSIB1（インデックス）によって与えられる帯域幅に基づいて決定されてもよい。
【００９３】
以上のように、第２の態様では、初期ＢＷＰに関する情報（例えば、initialDownlinkBWP用のBWP-DownlinkCommon又はinitialUplinkBWP用のBWP-UplinkCommon）が上位レイヤによって与えられるか否かに基づいて、ＰＤＳＣＨ又はＰＵＳＣＨのレートマッチングにおいてサーキュラバッファから取り出されるビット数Ｅが決定されるので、ユーザ端末は、初期ＢＷＰに割り当てられるＰＤＳＣＨ又はＰＵＳＣＨのレートマッチングを適切に制御できる。
【００９４】
（その他の態様）
上記では、初期ＢＷＰに関する情報（例えば、initialDownlinkBWP用のBWP-DownlinkCommon又はinitialUplinkBWP用のBWP-UplinkCommon）が上位レイヤによって与えられるか否かに基づいて、上記ＤＣＩ内の周波数領域リソース割り当てフィールドのビット数（第１の態様）、レートマッチングにおけるビット選択（第２の態様）を制御する例を説明した。
【００９５】
しかしながら、初期ＢＷＰに関する情報が上位レイヤによって与えられるか否かに基づく「ＰＤＳＣＨの受信又はＰＵＳＣＨの送信の制御」は、上記第１、第２の態様で説明した制御に限られず、ＰＤＳＣＨ又はＰＵＳＣＨの送受信に関係するどのような制御であってもよい。
【００９６】
例えば、当該ＤＣＩ内の周波数領域リソース割り当てフィールドによる周波数リソースの決定時において初期ＢＷＰの帯域幅（ＮｓｉｚｅＢＷＰ）が考慮される場合、当該帯域幅が、第１の態様、第２の態様と同様の条件で決定されてもよい。
【００９７】
（無線通信システム）
以下、本実施の形態に係る無線通信システムの構成について説明する。この無線通信システムでは、本開示の上記各実施の形態に係る無線通信方法のいずれか又はこれらの組み合わせを用いて通信が行われる。
【００９８】
図６は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００９９】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１００】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１０１】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１０２】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１０３】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１０４】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１０５】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１０６】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１０７】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１０８】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１０９】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１１０】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１１】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１１２】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１１３】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１１４】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１１５】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１１６】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１１７】
＜無線基地局＞
図７は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１１８】
下りリンクによって無線基地局１０からユーザ端末２０に送信されるユーザデータは、上位局装置３０から伝送路インターフェース１０６を介してベースバンド信号処理部１０４に入力される。
【０１１９】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１２０】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２１】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１２２】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１２３】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１２４】
送受信部１０３は、ＤＬ信号（例えば、ＰＤＣＣＨ（ＤＣＩ）、ＰＤＳＣＨ（ＤＬデータ、上位レイヤ制御情報）、ＤＬ参照信号の少なくとも一つ）を送信する。また、送受信部１０３は、ＵＬ信号（例えば、ＰＵＣＣＨ（ＵＣＩ）、ＰＵＳＣＨ（ＵＬデータ、上位レイヤ制御情報、ＵＣＩ）、ＵＬ参照信号の少なくとも一つ）を受信する。
【０１２５】
送受信部１０３は、ＰＤＳＣＨ又はＰＵＳＣＨに割り当てられる周波数領域リソースを示す所定フィールドを含む下り制御情報を送信する。また、送受信部１０３は、ＰＢＣＨを介してＭＩＢを送信してもよい。また、送受信部１０３は、ＳＩＢ１及びＲＲＣメッセージの少なくとも一つを送信してもよい。
【０１２６】
図８は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１２７】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１２８】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１２９】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１３０】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１３１】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１３２】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１３３】
制御部３０１は、ＰＤＳＣＨ又はＰＵＳＣＨに割り当てられる周波数領域リソースを示す所定フィールド（例えば、周波数領域割り当てフィールド）を含む下り制御情報の生成及び送信の少なくとも一つを制御してもよい。
【０１３４】
制御部３０１は、ＰＤＳＣＨの送信又はＰＵＳＣＨの受信を制御してもよい。具体的には、制御部３０１は、キャリア内の初期ＢＷＰ（初期アクセス用の帯域）に関する情報が上位レイヤによって与えられるか否かに基づいて、ＰＤＳＣＨの送信又はＰＵＳＣＨの受信を制御してもよい。
【０１３５】
例えば、制御部３０１は、前記初期ＢＷＰに関する情報が前記上位レイヤによって与えられる場合、前記初期ＢＷＰに関する情報内の特定の情報によって与えられる帯域幅に基づいて、前記所定フィールドのビット数を決定してもよい（第１の態様）。
【０１３６】
一方、制御部３０１は、前記初期ＢＷＰに関する情報が前記上位レイヤによって与えられない場合、ＰＢＣＨを介して伝送されるインデックス（ＭＩＢ内のインデックス）によって与えられる帯域幅に基づいて、前記所定フィールドのビット数を決定してもよい（第１の態様）。
【０１３７】
また、制御部３０１は、前記初期ＢＷＰに関する情報が上位レイヤによって与えられる場合、前記初期ＢＷＰに関する情報内の特定の情報によって与えられる帯域幅に基づいて、ＰＤＳＣＨ又はＰＵＳＣＨのレートマッチングにおけるビット選択を制御してもよい（第２の態様）。
【０１３８】
また、制御部３０１は、前記初期ＢＷＰに関する情報が上位レイヤによって与えられない場合、ＰＢＣＨを介して伝送されるインデックス（ＭＩＢ内のインデックス）によって与えられる帯域幅に基づいて、ＰＤＳＣＨ又はＰＵＳＣＨのレートマッチングにおけるビット選択を制御してもよい（第２の態様）。
【０１３９】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１４０】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１４１】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１４２】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１４３】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１４４】
測定部３０５は、受信した信号に関する測定を実施する。測定部３０５は、本開示に係る技術分野での共通認識に基づいて説明される測定器、測定回路又は測定装置から構成することができる。
【０１４５】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１４６】
＜ユーザ端末＞
図９は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１４７】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１４８】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１４９】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１５０】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１５１】
送受信部２０３は、ＤＬ信号（例えば、ＰＤＣＣＨ（ＤＣＩ）、ＰＤＳＣＨ（ＤＬデータ、上位レイヤ制御情報）、ＤＬ参照信号の少なくとも一つ）を受信する。また、送受信部２０３は、ＵＬ信号（例えば、ＰＵＣＣＨ（ＵＣＩ）、ＰＵＳＣＨ（ＵＬデータ、上位レイヤ制御情報、ＵＣＩ）、ＵＬ参照信号の少なくとも一つ）を送信する。
【０１５２】
送受信部２０３は、ＰＤＳＣＨ又はＰＵＳＣＨに割り当てられる周波数領域リソースを示す所定フィールドを含む下り制御情報を受信する。また、送受信部２０３は、ＰＢＣＨを介してＭＩＢを受信してもよい。また、送受信部２０３は、ＳＩＢ１及びＲＲＣメッセージの少なくとも一つを受信してもよい。
【０１５３】
図１０は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１５４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５５】
制御部４０１は、ユーザ端末２０全体の制御を実施する。制御部４０１は、本開示に係る技術分野での共通認識に基づいて説明されるコントローラ、制御回路又は制御装置から構成することができる。
【０１５６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１５７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１５８】
制御部４０１は、ＣＯＲＥＳＥＴ（又はＣＯＥＳＥＴ内のサーチスペース）を監視（ブラインド復号）して、ＤＣＩを検出する。具体的には、制御部４０１は、ＰＤＳＣＨ又はＰＵＳＣＨに割り当てられる周波数領域リソースを示す所定フィールド（例えば、周波数領域割り当てフィールド）を含むＤＣＩの検出を制御してもよい。
【０１５９】
制御部４０１は、ＰＤＳＣＨの受信又はＰＵＳＣＨの送信を制御してもよい。具体的には、制御部３０１は、キャリア内の初期ＢＷＰ（初期アクセス用の帯域）に関する情報が上位レイヤによって与えられるか否かに基づいて、ＰＤＳＣＨの受信又はＰＵＳＣＨの送信を制御してもよい。また、制御部３０１は、上記所定フィールドを含むＤＣＩに基づいて、ＰＤＳＣＨの受信又はＰＵＳＣＨの送信を制御してもよい。
【０１６０】
例えば、制御部４０１は、前記初期ＢＷＰに関する情報が前記上位レイヤによって与えられる場合、前記初期ＢＷＰに関する情報内の特定の情報によって与えられる帯域幅に基づいて、前記所定フィールドのビット数を決定してもよい（第１の態様）。
【０１６１】
一方、制御部４０１は、前記初期ＢＷＰに関する情報が前記上位レイヤによって与えられない場合、ＰＢＣＨを介して伝送されるインデックス（ＭＩＢ内のインデックス）によって与えられる帯域幅に基づいて、前記所定フィールドのビット数を決定してもよい（第１の態様）。
【０１６２】
また、制御部４０１は、前記初期ＢＷＰに関する情報が上位レイヤによって与えられる場合、前記初期ＢＷＰに関する情報内の特定の情報によって与えられる帯域幅に基づいて、ＰＤＳＣＨ又はＰＵＳＣＨのレートマッチングにおけるビット選択を制御してもよい（第２の態様）。
【０１６３】
また、制御部４０１は、前記初期ＢＷＰに関する情報が上位レイヤによって与えられない場合、ブロードキャストを介して伝送されるインデックス（ＭＩＢ内のインデックス）によって与えられる帯域幅に基づいて、ＰＤＳＣＨ又はＰＵＳＣＨのレートマッチングにおけるビット選択を制御してもよい（第２の態様）。
【０１６４】
また、制御部４０１は、無線基地局１０から通知された各種情報を受信信号処理部４０４から取得した場合、当該情報に基づいて制御に用いるパラメータを更新してもよい。
【０１６５】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１６６】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１６７】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１６８】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１６９】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１７０】
測定部４０５は、受信した信号に関する測定を実施する。測定部４０５は、本開示に係る技術分野での共通認識に基づいて説明される測定器、測定回路又は測定装置から構成することができる。
【０１７１】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１７２】
＜ハードウェア構成＞
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１７３】
例えば、本開示の本実施の形態における無線基地局、ユーザ端末などは、本開示の無線通信方法の処理を行うコンピュータとして機能してもよい。図１１は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７４】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７５】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１７６】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１７７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１７８】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施の形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１７９】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１８０】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１８２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８３】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８４】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８５】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８６】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１８７】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１８８】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８９】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９０】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１９１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１９３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９４】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１９５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１９６】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９７】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９８】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１９９】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２００】
また、情報、信号などは、上位レイヤから下位レイヤ、及び／又は下位レイヤから上位レイヤへ出力され得る。情報、信号などは、複数のネットワークノードを介して入出力されてもよい。
【０２０１】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０２】
情報の通知は、本明細書において説明した態様／実施の形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０３】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２０４】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０５】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２０８】
本明細書において使用する「システム」及び「ネットワーク」という用語は、互換的に使用される。
【０２０９】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２１０】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２１１】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２１２】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１３】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施の形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２１４】
同様に、本明細書におけるユーザ端末は、無線基地局で読み替えてもよい。この場合、上述のユーザ端末２０が有する機能を無線基地局１０が有する構成としてもよい。
【０２１５】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１６】
本明細書において説明した各態様／実施の形態は単独で用いてもよいし、組み合わせて用いてもよいし、実行に伴って切り替えて用いてもよい。また、本明細書で説明した各態様／実施の形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２１７】
本明細書において説明した各態様／実施の形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２１８】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１９】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２２０】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２１】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２２２】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２２３】
本明細書において、「ＡとＢが異なる」という用語は、「ＡとＢが互いに異なる」ことを意味してもよい。「離れる」、「結合される」などの用語も同様に解釈されてもよい。
【０２２４】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２２５】
以上、本開示に係る発明について詳細に説明したが、当業者にとっては、本開示に係る発明が本明細書中に説明した実施の形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2019220624.tif 000006
【図２】
2019220624.tif 000007
【図３】
2019220624.tif 000008
【図４】
2019220624.tif 000009
【図５】
2019220624.tif 000010
【図６】
2019220624.tif 000011
【図７】
2019220624.tif 000012
【図８】
2019220624.tif 000013
【図９】
2019220624.tif 000014
【図１０】
2019220624.tif 000015
【図１１】
2019220624.tif 000016
【国際調査報告】
2019220624.tif 000017
2019220624.tif 000018
2019220624.tif 000019